(57)【要約】【課題】本発明は、ディスクを回転駆動させるためのスピンドルモータに関するもので、確実な抜け止め効果が得られると共に、破壊を伴わなずに解体できるスピンドルモータを提供する。【解決手段】軸受ホルダ４の外周部に取り付けられる、外周面の一部に大径部を有する円筒状ストッパ５と、ロータ２の閉成部に取り付けられる、Ｌ字形の複数の爪部６ａが形成されたリング状の抜け止め部材６とを有し、ストッパ５の大径部の外周に、ロータ２の回転方向に片下がりに傾斜した溝形状、又は互いに直交する抜け方向と回転方向から成る溝形状の凹部５ａを形成し、爪部６ａを凹部５ａに挿入することにより抜け止め機構を構成する。【選択図】　図２
2004040886.tif 000002
【特許請求の範囲】
【請求項１】
回転するシャフトと、前記シャフトを支持するための軸受部材と、前記軸受部材の外周部を保持するための軸受ホルダとを有するスピンドルモータにおいて、前記軸受ホルダの外周部に取り付けられる、外周面の一部に大径部を有する円筒状部材と、前記シャフト上端部に固定された回転部材の閉成部に取り付けられる、Ｌ字形の複数の抜け止め部が形成されたリング状の抜け止め部材とを有し、前記円筒状部材の前記大径部の外周に凹部を形成し、前記抜け止め部を前記凹部に挿入することにより抜け止め機構を構成したことを特徴とするスピンドルモータ。
【請求項２】
前記凹部を、前記円筒部材の代わりに、前記軸受けホルダの外周上部に形成したことを特徴とする請求項１に記載のスピンドルモータ。
【請求項３】
前記凹部の形状を、回転方向へ片下がりに傾斜する形状としたことを特徴とする請求項１および請求項２に記載のスピンドルモータ。
【請求項４】
前記凹部の形状を、軸線方向に向かう部分と、横方向のスライド部とで形成したことを特徴とする請求項１および請求項２に記載のスピンドルモータ。
【発明の詳細な説明】
【０００１】
【発明の属する技術分野】
本発明は、ディスクを回転駆動させるためのスピンドルモータに関するものであり、特に、回転部材が抜けないようにするための抜け止め機構に特徴を有するものである。
【０００２】
【従来の技術】
従来より、スピンドルモータの抜け止め機構は、特開２０００−１５２５５０号公報に示すように、ロータの一部を曲折させて係止部を形成し、ロータが抜けようとすると、係止部が軸受ホルダ外周に取り付けられたストッパに受け止められるようにして抜け止め機構を形成していた。以下に従来のスピンドルモータの抜け止め機構について説明する。
【０００３】
図６は、従来のスピンドルモータの断面図であり、図７は図６のストッパの平面図及び断面図である。図６に示すように、１はシャフトであり、２はロータであり、前記シャフトの一端部が前記ロータに圧入固定されている。３は軸受であり、４は軸受を保持する軸受ホルダであり、ホルダ４の内周に軸受３が圧入固定されている。
【０００４】
また、ロータ２の内周部は下方向に段差を形成されており、軸受ホルダ４の外周には、図７に示すような複数の爪部を有するリング状のストッパ５が圧入固定されており、ロータ２が抜けようとすると、ロータ２の段差２Ａがストッパ５の爪部５Ａに引っかかり、ロータ２が抜けないようになっている。
【０００５】
【発明が解決しようとする課題】
しかしながら、上述の従来構成では、ストッパの爪部を変形させて填め込むため、ロータの段差部分をストッパの爪部一度組み付けると、爪部を破壊せずに抜き出すことが困難となり、不良品が出た場合に解体して修理できなかった。
【０００６】
また、ストッパが樹脂等の軟質の弾性体で形成されるため、強度が低く、外部から強い衝撃が加わると、ストッパの爪部が破壊され、ロータが抜けてしまうという問題点も有していた。
本発明は上記問題を解決するもので、モータの組立後に容易に解体が可能で、かつロータが抜けることのないスピンドルモータを提供することを目的とするものである。
【０００７】
【課題を解決するための手段】
前記課題を解決するために本発明のスピンドルモータは、軸受ホルダの外周部に取り付けられる、外周面の一部に大径部を有する円筒状部材と、回転部材の閉成部に取り付けられる、Ｌ字形の複数の抜け止め部が形成されたリング状の抜け止め部材とを有し、円筒状部材の大径部の外周に、ロータの回転方向へ片下がりに傾斜した形状、又は変則的な形状の凹部を形成し、抜け止め部を凹部に挿入することにより抜け止め機構を構成したものである。
なお、円筒状部材を廃止し、代わりに軸受けホルダの外周上部に凹部を形成しても構わない。
【０００８】
本発明によれば、円筒状のストッパ、あるいは軸受けホルダの外周に凹部を形成し、ロータ側に取り付けられる抜け止め部材の爪部を凹部に挿入する構成としたことにより、たとえ不良品が出てもロータが着脱自在であるため、修繕が容易に行え、かつ十分な抜け止め効果が得られるスピンドルモータを提供できる。
【０００９】
【発明の実施の形態】
本発明の請求項１に記載のスピンドルモータは、回転するシャフトと、前記シャフトを支持するための軸受部材と、前記軸受部材の外周部を保持するための軸受ホルダとを有するスピンドルモータにおいて、前記軸受ホルダの外周部に取り付けられる、外周面の一部に大径部を有する円筒状部材と、前記シャフト上端部に固定された回転部材の閉成部に取り付けられる、Ｌ字形の複数の抜け止め部が形成されたリング状の抜け止め部材とを有し、前記円筒状部材の前記大径部の外周に凹部を形成し、前記抜け止め部を前記凹部に挿入することにより抜け止め機構を構成したことを特徴とするものである。
次に、本発明の請求項２に記載のスピンドルモータは、前記凹部を、前記円筒部材の代わりに、前記軸受けホルダの外周上部に形成したことを特徴とするものである。
この構成により、スピンドルモータのいずれの部材も破壊することなく、容易に解体できるという作用を有する。
【００１０】
次に、本発明の請求項３に記載のスピンドルモータは、請求項１および請求項２に記載のスピンドルモータにおいて、前記凹部の形状を、回転方向へ片下がりに傾斜する形状としたことを特徴とするものである。
【００１１】
この構成により、モータ回転中に偶然ロータの抜け止め部材の抜け止め部が凹部に入ろうとしても下方に押し出されるため、ロータが軸受けホルダから抜け出ることが無くなるという作用を有する。
【００１２】
次に、本発明の請求項４に記載のスピンドルモータは、請求項１および請求項２に記載のスピンドルモータにおいて、前記凹部の形状を、軸線方向に向かう部分と、横方向のスライド部とで形成したことを特徴とする。
【００１３】
この構成により、請求項３記載のスピンドルモータよりも更に抜け止め効果を大きくすることができるという作用を有する。
【００１４】
（実施の形態）
以下に、請求項１から４に記載された本発明の実施の形態について、図１〜図５を参照しながら説明する。図１は本発明の実施の形態１における抜け止め部材とストッパの斜視図であり、図２は本発明の実施の形態１におけるスピンドルモータの断面図である。図３は本発明の実施の形態２における軸受けホルダの斜視図であり、図４は本発明の実施の形態２におけるスピンドルモータの断面図である。図５（ａ）と図５（ｂ）はそれぞれ図１と図３における矢視Ａであり、図５（ｃ）と図５（ｄ）はそれぞれ図５（ａ）と図５（ｂ）の一変形例を示すストッパまたは軸受けホルダの側面図である。従来例で説明したものと類似な構成部には同一の符号を付している。
【００１５】
図１に示すように、抜け止め部材６にはＬ字形の爪部６ａが２箇所に形成されている。また、円筒状のストッパ５の外周面の一部には大径部を有し、その大径部の爪部６ａに相対する外周部には片下がり溝形状の凹部５ａが設けられている。さらに図２に示すように、抜け止め部材６はロータ２の内部の閉成部に固定され、ストッパ５は軸受ホルダ４に取り付けられている。そこで、組み立て時には図１および図５（ａ）に示すように、抜け止め部材６の爪部６ａを凹部５ａに挿入してロータ２を静止部材に取り付けることにより、スピンドルモータが完成する。
【００１６】
図３、図４、および図５（ｂ）は本発明の他の実施例を示す。ストッパ５の代わりに、軸受けホルダ４の外周上部に片下がり溝形状の凹部４ａが設けられ、爪部６ａが凹部４ａへ挿入されることにより、凹部５ａと同様な抜け止め効果が得られる。なお、図５における矢印Ｂはロータ２の回転方向を示す。
【００１７】
このように、ストッパ５あるいは軸受けホルダ４に設けられた凹部５ａまたは４ａを回転方向へ片下がりに傾斜する形状としたことで、外部からの衝撃力等により爪部６ａが凹部に入ろうとしても下方へ押し出され、ロータ２の抜ける方向にスライドすることができないため、確実な抜け止め効果が得られる。なお、爪部６ａおよび凹部４ａ、５ａは２箇所以上に形成されていても構わない。
【００１８】
さらに、図５（ｃ）、図５（ｄ）に示すように、凹部４ａまたは５ａの溝形状を互いに直交する抜け方向と回転方向のスライド部とで構成される形状にすることで、抜け止め効果を高めることができる。
【００１９】
これらの構成によれば確実な抜け止め効果が得られると共に、ロータ２を引き上げながらゆっくり逆回転させることにより静止部材から取り外すことのできる、破壊を伴わずに解体可能なスピンドルモータが実現する。
【００２０】
【発明の効果】
以上のように、円筒状のストッパまたは軸受けホルダの外周に凹部を形成し、ロータ側に取り付けられる抜け止め部材の爪部を凹部に挿入する構成としたことにより、たとえ不良品が出てもロータが着脱自在であるため、修繕が容易に行え、かつ十分な抜け止め効果が得られるスピンドルモータを提供できる。
【図面の簡単な説明】
【図１】本発明の実施の形態１における抜け止め部材とストッパの斜視図
【図２】本発明の実施の形態１におけるスピンドルモータの断面図
【図３】本発明の実施の形態２における軸受けホルダの斜視図
【図４】本発明の実施の形態２におけるスピンドルモータの断面図
【図５】（ａ）図１の凹部矢視Ａ図
（ｂ）図３の凹部矢視Ａ図
（ｃ）図５（ａ）の変形例を示す図
（ｄ）図５（ｂ）の変形例を示す図
【図６】従来のスピンドルモータの断面図
【図７】図６のストッパの平面図および断面図
【符号の説明】
１　シャフト
２　ロータ
２Ａ　段差
３　軸受け
４　軸受けホルダ
４ａ　凹部（軸受けホルダ）
５　ストッパ
５Ａ　爪部（ストッパ）
５ａ　凹部（ストッパ）
６　抜け止め部材
６ａ　爪部（抜け止め部材）
【図１】
2004040886.tif 000003
【図２】
2004040886.tif 000004
【図３】
2004040886.tif 000005
【図４】
2004040886.tif 000006
【図５】
2004040886.tif 000007
【図６】
2004040886.tif 000008
【図７】
2004040886.tif 000009